(57)【要約】【課題】利用者の衣服に対する嗜好を反映可能にした衣服着用可視化システム、及び衣服着用可視化方法を提供する。【解決手段】利用者２の外形を示す体形データなどから利用者２の外形に準じた３Ｄアバターを生成する利用者モデル作成部２１２と、３Ｄアバターに衣服を着用させた様相を示す着用画像を表示操作モジュール２３に提供する着用処理部３０と、衣服の一部の寸法を表示操作モジュール２３に指定されたものとする衣服モデル処理部２１４と、変更後の様相を示す変更画像を表示操作モジュール２３に提供する着用処理部３０と、変更画像に適合する型紙データを製造データとして提供する型紙データ処理部２１５とを備える。【選択図】図２
2020170394.tif 000002
【特許請求の範囲】
【請求項１】
利用者の外形を示す利用者外形情報から前記利用者の外形に準じた３次元の外形モデルを生成し、当該外形モデルに衣服を着用させた様相を示す着用画像を画像表示端末に提供する着用画像提供部と、
前記着用画像のなかの衣服の一部を前記画像表示端末の指定によって寸法の変更された衣服に変更した様相を示す変更画像を前記画像表示端末に提供する変更画像提供部と、
前記画像表示端末に表示された前記変更画像の確定を受けて前記変更画像に適合する衣服の寸法を取得し、当該寸法を前記衣服の製造データとして提供する寸法提供部とを備える
衣服着用可視化システム。
【請求項２】
前記画像表示端末は、前記利用者の端末である
請求項１に記載の衣服着用可視化システム。
【請求項３】
前記寸法提供部は、前記利用者の発注に基づいて前記利用者に関連付けた前記製造データを前記衣服の製造元に提供する
請求項１又は２に記載の衣服着用可視化システム。
【請求項４】
前記着用画像提供部は、前記着用画像のなかの衣服から前記外形モデルが受ける着圧の分布を前記画像表示端末にさらに提供する、及び、前記変更画像提供部は、前記変更画像のなかの衣服から前記外形モデルが受ける着圧の分布を前記画像表示端末にさらに提供することの少なくとも一方を行う
請求項１〜３のいずれか一項に記載の衣服着用可視化システム。
【請求項５】
前記変更画像は、衣服を構成する生地の重さを反映した様相を示す
請求項１〜４のいずれか一項に記載の衣服着用可視化システム。
【請求項６】
前記外形モデルは、所定の姿勢に対応したモデルであり、
前記変更画像提供部は、前記利用者外形情報から利用者の任意の姿勢を把握し、当該任意の姿勢における前記利用者外形情報から前記所定の姿勢における前記外形モデルを推定する
請求項１〜５のいずれか一項に記載の衣服着用可視化システム。
【請求項７】
前記変更画像提供部は、衣服の型紙寸法に基づいて前記変更画像を生成し、
前記寸法提供部は、前記画像表示端末から設定された寸法変更操作に基づいて前記型紙寸法を変更し、当該変更後の型紙寸法を、前記変更画像に示す衣服の寸法とする
請求項１〜６のいずれか一項に記載の衣服着用可視化システム。
【請求項８】
前記寸法変更操作は、前記画像表示端末に表示された前記変更画像のなかの衣服の一部を前記画像表示端末で変位させる操作である
請求項７に記載の衣服着用可視化システム。
【請求項９】
利用者の外形を示す利用者外形情報から前記利用者の外形に準じた３次元の外形モデルを生成し、当該外形モデルに衣服を着用させた様相を示す着用画像を画像表示端末に提供する着用画像提供ステップと、
前記着用画像のなかの衣服の一部を前記画像表示端末の指定によって寸法の変更された衣服に変更した様相を示す変更画像を前記画像表示端末に提供する変更画像提供ステップと、
前記画像表示端末に表示された前記変更画像の確定を受けて前記変更画像に適合する衣服の寸法を取得し、当該寸法を前記衣服の製造データとして提供する寸法提供ステップとを備える
衣服着用可視化方法。
【発明の詳細な説明】
【技術分野】
【０００１】
本発明は、衣服の着用状態を可視化する衣服着用可視化システム、及び衣服着用可視化方法に関する。
【背景技術】
【０００２】
利用者の身体に適合した衣服を提供するサービスは、利用者の体形寸法を測定する方法、および、身体と衣服との適合の度合いを示す方法を用いている。
体形寸法を測定する方法の一例として、特許文献１に記載の身体寸法の測定システムは、複数の方向から利用者を撮影した身体画像を用いて、利用者の体形寸法を測定する。体形寸法の測定結果は、例えば、オーダーメードの衣服を製作する型紙の修正に採用される。
【０００３】
適合の度合いを示す方法の一例として、特許文献２に記載の服飾用品販売サーバは、利用者の身長や体重等の体形データと、利用者の全身画像とを用いて、利用者の体形を示す画像である体形モデルを作成し、利用者が衣服を着用した仮想的な様相を着用画像として閲覧可能にする。また、例えば、特許文献３に記載の方法は、体形寸法に適合した身体モデルを、仮想モデルと測定結果とのマッチング、および、補正によって作成する。そして、身体モデルに適合した衣服を、データセットのなかの衣服と身体モデルとのマッチングによって決定する。
【先行技術文献】
【特許文献】
【０００４】
【特許文献１】特開２００３−０４９３０７号公報
【特許文献２】特開２００９−１２８９９６号公報
【特許文献３】特表２０１３−５２６７３５号公報
【発明の概要】
【発明が解決しようとする課題】
【０００５】
一方、利用者の衣服に対する嗜好は、近年では広がる一途であり、利用者の体形寸法のみで定まることはなく、購入対象となる衣服を着用する場面、購入対象となる衣服を着用する頻度、流行に対する利用者の意識、衣服を購入する目的等に応じて区々である。そのため、上述した衣服着用可視化システムには、利用者の衣服に対する嗜好をさらに反映させるものが望まれている。
【０００６】
例えば、腕の長さや腕周りの大きさが同じである利用者間においても、腕を頻繁に動かす場面で衣服を着用したい利用者は、袖丈や袖周りにゆとりのある衣服を好む一方で、儀礼的な場面で衣服を着用したい利用者は、腕の形状に合った衣服を好みやすい。
【０００７】
例えば、着丈の短い上着が流行している場合、座高が同じである利用者間においても、流行に対し意識の高い利用者は、着丈の短い衣服を好む一方で、流行に影響を受けにくい利用者は、着丈の長い衣服を好みやすい。
【０００８】
本発明は、利用者の衣服に対する嗜好を反映可能にした衣服着用可視化システム、及び衣服着用可視化方法を提供することを目的とする。
【課題を解決するための手段】
【０００９】
上記課題を解決する衣服着用可視化システムは、利用者の外形を示す利用者外形情報から前記利用者の外形に準じた３次元の外形モデルを生成し、当該外形モデルに衣服を着用させた様相を示す着用画像を画像表示端末に提供する着用画像提供部と、前記着用画像のなかの衣服の一部を前記画像表示端末の指定によって寸法の変更された衣服に変更した様相を示す変更画像を前記画像表示端末に提供する変更画像提供部と、前記画像表示端末に表示された前記変更画像の確定を受けて前記変更画像に適合する衣服の寸法を取得し、当該寸法を前記衣服の製造データとして提供する寸法提供部とを備える。
【００１０】
上記課題を解決する衣服着用可視化方法は、利用者の外形を示す利用者外形情報から前記利用者の外形に準じた３次元の外形モデルを生成し、当該外形モデルに衣服を着用させた様相を示す着用画像を画像表示端末に提供する着用画像提供ステップと、前記着用画像のなかの衣服の一部を前記画像表示端末の指定によって寸法の変更された衣服に変更した様相を示す変更画像を前記画像表示端末に提供する変更画像提供ステップと、前記画像表示端末に表示された前記変更画像の確定を受けて前記変更画像に適合する衣服の寸法を取得し、当該寸法を前記衣服の製造データとして提供する寸法提供ステップとを備える。
【００１１】
このような構成又は方法によれば、利用者が実際に衣服を着用せずとも、利用者の外形の反映された外形モデルに衣服を着用させた様相を画像表示端末で確認することができる。そのうえ、衣服の着用状態における寸法変更を行うことができ、また、変更された寸法が製造データとして提供される。これにより、利用者が画像表示端末で着用画像を確認しながら、利用者の嗜好に適合するように寸法変更された衣服、いわゆるパターンオーダーと言える衣服を製造することのできるデータ提供が可能になる。すなわち、利用者の衣服に対する嗜好を衣服に反映可能にすることができる。
【００１２】
また、画像表示端末で表示する着用画像であれば、衣服を着用する場面や頻度、衣服の流行を、利用者の嗜好に適合する任意の状態に設定することもできる。例えば、衣服の寸法は、利用者の体形寸法のみで定まることはなく、購入対象となる衣服を着用する場面、購入対象となる衣服を着用する頻度、流行に対する利用者の意識、衣服を購入する目的等に応じて区々である。よって、この衣服着用可視化システムは、利用者の衣服に対する嗜好をさらに反映させることもできる。
【００１３】
また、外形モデルに対する衣服の着用と寸法変更とが実現可能であるから、一部の寸法が変更された衣服を変更要請の都度実際に準備することが不要であり、さらに、手間ではあるが避けることのできない実際の着脱を行わなくてもよい。
【００１４】
好ましい構成として、前記画像表示端末は、前記利用者の端末である。
利用者の外形に準じた外形モデルは、利用者の体形寸法を把握可能にする画像であって、利用者のプライバシーに関わる内容を含む。この点、上記構成によれば、利用者が自らの端末で、自身の体形的特徴を有する外形モデルを用い、外形モデルに着用された衣服の寸法を変更することができる。そのため、自身の外形モデルに対する衣服の着脱を自身の端末以外で操作されることがなく、また、自身の嗜好を衣服に反映することが容易になる。
【００１５】
好ましい構成として、前記寸法提供部は、前記利用者の発注に基づいて前記利用者に関連付けた前記製造データを前記衣服の製造元に提供する。
利用者の嗜好に合わせて一部変更を受け付ける注文生産業者は、衣服を製造販売する業者のなかで限られており、こうした業者を利用者が見つけ出すことは煩わしく、また、こうした業者と製造データを共有する作業負荷も多大なものである。この点、上記構成によれば、利用者の発注に基づいて製造データが製造元に提供されるため、製造業者と製造データを共有するための利用者の負荷が軽減可能であって、利用者の嗜好に適合するように寸法変更された衣服、いわゆる注文生産と言えるような衣服が製造元で製造可能になる。
【００１６】
好ましい構成として、前記着用画像提供部は、前記着用画像のなかの衣服から前記外形モデルが受ける着圧の分布を前記画像表示端末にさらに提供する、及び、前記変更画像提供部は、前記変更画像のなかの衣服から前記外形モデルが受ける着圧の分布を前記画像表示端末にさらに提供することの少なくとも一方を行う。
【００１７】
寸法変更を求める利用者の嗜好には、衣服の色や形状の他に、着用した際の衣服の各部における緩み具合や締め付け具合が含まれ得る。そして、着用した際の緩み具合や締め付け具合は、衣服の寸法や形状のみならず、衣服を構成する生地の素材、織り方、厚み、糸の太さなどに基づく弾性率によっても変わり得るから、外形モデルに衣服を着用させた様相のみからは把握され難い。この点、上記構成によれば、外形モデルが受ける着圧の分布を利用者が確認できるようになるため、着用した際の緩み具合や締め付け具合を利用者が把握できる。よって、衣服の寸法を、外観の情報からだけではなく、着用した際の緩み具合や締め付け具合に基づいて変更できる。
【００１８】
好ましい構成として、前記変更画像は、衣服を構成する生地の重さを反映した様相を示す。
衣服を構成する生地の目付は、単位面積あたりの生地の重さであって、衣服のシルエット、衣服の各部におけるラインの形状、衣服に生じるシワや捩れの形状等を変え得る。一方、寸法変更を求める利用者の嗜好には、衣服の色や形状の他に、これら生地の重さに依存した様相が含まれ得る。そのため、衣服の一部を寸法変更することに際して生地の重さが考慮されていない構成では、利用者が実際に着用したときの様相と変更画像との間で、生地の重さに依存した様相に乖離が生じ得る。この点、上記構成によれば、衣服を構成する生地の重さが反映された様相を利用者が確認できるため、利用者の嗜好にさらに適合した製造データを提供することができる。
【００１９】
好ましい構成として、前記外形モデルは、所定の姿勢に対応したモデルであり、前記変更画像提供部は、前記利用者外形情報から利用者の任意の姿勢を把握し、当該任意の姿勢における前記利用者外形情報から前記所定の姿勢における前記外形モデルを推定する。
【００２０】
利用者外形情報が示す外形での利用者の姿勢と、着用画像が示す外形モデルの姿勢との間に乖離が生じている場合には、利用者の実際の様相と、外形モデルが示す様相との間に乖離が生じ得る。こうした乖離を抑制するためには、着用画像が示す外形モデルの姿勢と、利用者外形情報を生成するために行われる利用者の撮影姿勢とを整合させることが強いられる。この点、上記構成によれば、利用者外形情報が得られたときの利用者の任意の姿勢から、着用画像に適用する所定の姿勢としたときの外形モデルが推定される。よって、当該推定された外形モデルに衣服を着用させることができるため、利用者外形情報が示す外形での利用者の姿勢と、着用画像が示す外形モデルの姿勢との間に生じた乖離による誤差が着用画像や変更画像において低減される。また、利用者外形情報を取得するための撮影等において利用者の姿勢に対する制約が軽減される。
【００２１】
また、上記所定の姿勢が変更可能である構成であれば、利用者外形情報が示す外形での利用者の姿勢のみならず、様々な姿勢における着用態様を画像表示端末で確認できる。そのため、衣服の着用における利便性が高まる。
【００２２】
好ましい構成として、前記変更画像提供部は、衣服の型紙寸法に基づいて前記変更画像を生成し、前記寸法提供部は、前記画像表示端末から設定された寸法変更操作に基づいて前記型紙寸法を変更し、当該変更後の型紙寸法を、前記変更画像に示す衣服の寸法とする。
【００２３】
このような構成によれば、衣服の型紙寸法に画像表示端末から設定された変更が反映される。また、型紙寸法に基づいて生成される変更画像にも画像表示端末から設定された変更が反映される。つまり、画像表示端末から設定された変更が型紙寸法を変更するとともに、変更画像に反映される。結果として、衣服を製造するための型紙寸法と製造データとの整合が担保されると共に、製造データを型紙寸法に変換する際に生じ得る誤差が低減される。そのため、利用者が確認した変更画像と、利用者が実際に衣服を着用した様相との乖離が低減される。
【００２４】
好ましい構成として、前記寸法変更操作は、前記画像表示端末に表示された前記変更画像のなかの衣服の一部を前記画像表示端末で変位させる操作である。
このような構成によれば、画像表示端末において衣服の一部が変位される直感的な操作により着用画像における衣服の寸法を変更することができる。
【発明の効果】
【００２５】
本発明によれば、利用者の衣服に対する嗜好を反映可能にすることができる。
【図面の簡単な説明】
【００２６】
【図１】衣服着用可視化システム、及び衣服着用可視化方法の一実施形態を含む構成を示すブロック図。
【図２】同実施形態の概略構成を示すブロック図。
【図３】同実施形態の製造システムのブロック図。
【図４】同実施形態の着用処理部のブロック図。
【図５】同実施形態で利用者の体形データの図。
【図６】同実施形態の表示操作モジュールに表示される画像の図であって、（ａ）は衣服の種類を提示する図、（ｂ）は着用画像と選択肢と提示する図、（ｃ）は右袖の寸法を変更する画面の図、（ｄ）は注文確定するときの画像の図。
【図７】同実施形態で着用画像の寸法変更を例示する図。
【図８】同実施形態で寸法変更と型紙データとの関係を示す図。
【図９】同実施形態で表示操作モジュールに表示される着衣の様相を示す図。
【図１０】同実施形態で表示操作モジュールに表示される着衣の様相を示す図。
【図１１】同実施形態で表示操作モジュールに表示される着圧分布を示す図。
【図１２】他の実施形態で表示操作モジュールに表示される画像を示す図。
【発明を実施するための形態】
【００２７】
図１〜図１２を参照して、衣服着用可視化システム、及び衣服着用可視化方法の一実施形態について説明する。衣服着用可視化システムは、衣服を製造販売するシステムに接続されており、利用者が衣服を購入する際、利用者の衣服に対する嗜好を購入する衣服に反映させることを可能にする。具体的には、衣服着用可視化システムは、端末に表示される仮想空間上に配置した利用者を模した外形モデルとしての３次元画像（アバター）に利用者の選択した衣服を着用させることで、当該衣服を利用者が着用した様相を利用者等が確認できるように表示するシステムである。
【００２８】
（衣服を製造販売するシステム）
図１を参照して、衣服着用可視化システム２０の接続されるシステムである、衣服を製造販売するシステムの一例を説明する。衣服を製造販売するシステムは、情報の相互の授受を可能にするネットワーク１０を介して、衣服着用可視化システム２０と、ＰＯＳデータサーバ１１と、ＥＣ購買データサーバ１２と、販売管理システム１３と、商品データサーバ１４と、利用者データサーバ１５と、製造元としての製造システム１６とを接続させている。
【００２９】
ＰＯＳデータサーバ１１は、衣服の売買に関係する情報を有しているサーバであり、店舗における衣服等の販売実績を有している。販売実績には、販売商品と利用者とが関連付けられているデータが含まれていてもよい。
【００３０】
ＥＣ購買データサーバ１２は、インターネット等を利用した仮想店舗における衣服等の販売実績を有している。販売実績には、販売商品と利用者とが関連付けられているデータが含まれている。
【００３１】
販売管理システム１３は、商品の在庫管理、受発注管理、配送管理等を行う。
商品データサーバ１４は、販売に用いられる衣服に関係する情報を有しているサーバであって、衣服の情報や、衣服の画像等を検索、配信可能に保持している。また、商品データサーバ１４は、製造される衣服に関係する情報を有しているサーバであって、衣服の情報、衣服を構成する生地の情報、衣服の型紙等を検索、配信可能に保持している。
【００３２】
利用者データサーバ１５は、衣服購入に関連する利用者情報を保持している。利用者情報は、取引に関する情報、対象商品の絞り込み等に関する情報、利用者の画像情報、利用者を模したアバター、衣服の寸法に関する情報を含んでいる。決済方法等の取引に関する情報には、利用者の住所、氏名、決済方法等が含まれてもよい。対象商品の絞り込み等に関する情報には、ターゲット層を絞るための情報として、利用者２の年齢、性別、職業、衣服嗜好のアンケート結果等が含まれてもよい。また、利用者の画像情報は、利用者２の前方全身写真や、側方全身写真が含まれていてもよい。また、利用者の画像情報は、採寸のために撮影された２次元（２Ｄ）画像データや、３次元（３Ｄ）スキャンデータであってもよい。さらに、利用者の、後に詳述する３Ｄのアバターを保持してもよい。
【００３３】
利用者データサーバ１５は、衣服着用可視化システム２０との間で、利用者の画像情報、利用者を模したアバター、利用者の外形を示す利用者外形情報としての体形データ及び採寸データを授受することができる。利用者の画像情報には、前方全身写真や、側方全身写真が含まれてもよい。前方全身写真や側方全身写真は、衣服着用可視化システム２０のカメラ２２（図２参照）が取得したデータであってもよい。
【００３４】
図２を参照して説明すると、体形データ及び採寸データには、体重Ｗ、身長Ｈ、着丈Ｌ１、袖丈Ｌ２（図示略）、裄丈Ｌ３（図示略）を含んでもよい。このうち、採寸データは、例えば、着丈Ｌ１、袖丈Ｌ２、裄丈Ｌ３である。体形データ及び採寸データは、衣服着用可視化システム２０での画像処理に基づいて得られたものが含まれてもよい。
【００３５】
図５を参照して説明すると、体形データには、利用者２の肩幅２Ｓ、首囲２Ｎ、胸囲２Ｂ、ウエスト２Ｗ、ウエスト（腰骨上）２Ｇ、ヒップ２Ｈ、股下２Ｉ、太もも回り２Ｔ、ふくらはぎ回り２Ｃ、足首回り２Ａ、腕回り２ＡＡ、腕長さ２ＡＬを含んでもよい。また、体形データや採寸データは、必要に応じて、ももの長さや脛の長さなどの任意の測定部位のデータを追加することができる。
【００３６】
（製造システム１６）
図１に示す製造システム１６は、受注オーダーに従って衣服を製造するとともに、出荷する。
【００３７】
図２に示すように、製造システム１６は、衣服着用可視化システム２０の制御装置２１から利用者情報と型紙データとを受け取る。ここで、型紙データは型紙寸法や製造データを構成する。
【００３８】
図３に示すように、製造システム１６は、衣服着用可視化システム２０から利用者２に適合するように調整された衣服の型紙データを得る（型紙データ等取得１６１）とともに、必要に応じて型紙データを補正する（型紙補正処理１６２）。又は、製造システム１６は、衣服着用可視化システム２０から衣服の型紙データを得る（型紙データ等取得１６１）とともに、利用者２に適合するように調整するための補正データを得て必要に応じて型紙データを補正する（型紙補正処理１６２）ようにしてもよい。なお、製造システム１６は、型紙データを保持しているとき、衣服着用可視化システム２０から、型紙データに代えて、型紙データを調整するための補正データのみを得てもよい。続いて、製造システム１６は、型紙データに関連付けられている生地を裁断する（生地裁断処理１６３）とともに、裁断した生地を縫製し（縫製１６４）、衣服として仕上げる（仕上げ１６５）。そして、製造システム１６は、仕上がった衣服を利用者２に対応付けて出荷する。出荷先は、利用者２であってもよいし、販売店等の仲介者であってもよい。
【００３９】
（衣服着用可視化システム２０）
図２を参照して、衣服着用可視化システム２０について説明する。
衣服着用可視化システム２０は、利用者２の外形データを取得するサイジングによって得られた外形データに基づいて利用者２の身体的特徴を有していることで利用者２を模した３Ｄのアバターを作成する。以下、利用者２を模した３Ｄのアバターを単に３Ｄアバターと記する。また、衣服着用可視化システム２０は、作成した３Ｄアバターに衣服を着用させた様相を示す着用画像を表示させる制御装置２１を備えている。
【００４０】
サイジングは、店員による採寸に基づくサイジング、利用者自身がスマートフォンで行うサイジング、店舗等に設置された３Ｄスキャナーによるサイジング等を採用することができる。また、３Ｄアバターに衣服を着用させることで、仮想空間上における衣服の着用について、目を引き、かつ、分かりやすい表現が可能になる。
【００４１】
制御装置２１は、カメラ２２と、画像表示端末としての表示操作モジュール２３と、データモジュール２４と、製造システム１６とに情報を授受可能に接続されている。接続は、専用線、公衆回線やインターネット回線の少なくとも１つを介した有線接続及び無線接続の少なくとも一方でよい。
【００４２】
カメラ２２は、３Ｄアバターを作成するための利用者２のアバター作成用データを取得する。カメラ２２は、スマートフォンサイジングでは２Ｄ画像データを取得する２Ｄカメラを構成し、３Ｄスキャナーによるサイジングでは３Ｄボディスキャンシステムを構成する。カメラ２２は、取得した２Ｄ画像データ又は３Ｄスキャンデータを、アバター作成用データとして画像処理部２１１に送る。カメラ２２は、固定カメラ及び深度センサ、あるいは、深度センサを兼ねた固定カメラで構成され、取得できる情報量を増やしたり、画像やデータの精度を向上させてもよい。
【００４３】
表示操作モジュール２３は、利用者が所持しているタブレットやスマートフォン等の利用者端末であって、タッチパネル型ディスプレーを有してもよい。表示操作モジュール２３は、表示部２３１と操作部２３２とを有する。
【００４４】
図６（ｂ）〜（ｄ）に示すように、表示部２３１は、制御装置２１から送られてきたデータを用いて着用画像を表示させることができる。図６（ａ）〜（ｄ）に示すように、表示部２３１は、表示レイアウトが定められており、レイアウト中には、着用画像の表示領域、衣服の情報表示領域、操作領域等を有している。また、表示部２３１は、随時、表示している着用画像に対する操作が反映された着用画像を表示できるようになっている。
【００４５】
図６（ａ）〜（ｄ）に示すように、操作部２３２は、タッチパネル型ディスプレーのタッチ操作部であって、利用者２の操作が入力される。操作部２３２は、表示部２３１に表示されている操作対象部分に対する操作を行える。例えば、３Ｄアバターを回転させて前後左右に向ける向きの変更や、衣服の選択、衣服の寸法調整、生地やデザイン等における各種選択肢や選択ボタンに対する操作を行うことができる。
【００４６】
図２に示すように、データモジュール２４は、データを保持し、出力可能な構成を有したコンピュータ等であって、型紙ＤＢ（データベース）２４１と、重ね着ＤＢ２４２と、服飾品ＤＢ２４３とを有する。なお、データモジュール２４は、商品データサーバ１４（図１参照）を含み構成されていてもよい。
【００４７】
型紙ＤＢ２４１は、複数の衣服の型紙データを保持している。型紙ＤＢ２４１は、種類、大きさ、デザイン等で区分される各種の衣服毎に型紙データを有している。型紙データは、生地とデザイン、及び生地から衣服を製造するために必要な寸法を有している。また、型紙データは、サイズ調整や丈直し用のしろを含むとともに、生地の素材、織り方、厚み、糸の太さなどに基づく弾性率、生地の重さである目付、及び、しろを考慮した変形ルールを有している。また、型紙データは、利用者に商品の魅力を訴求したり、製造のためのビジュアル画像、素材、商品情報を合わせて含んでいてもよい。
【００４８】
重ね着ＤＢ２４２は、体形データと着用させる衣服との間に介在する衣服のデータを重ね着データとして有している。重ね着データは、衣服を着用させる体形データを一時的に補正、又は、体形データに一時的に加算するデータを保持している。例えば、着用させる衣服がジャケットである場合、重ね着データは、下着及びシャツに相当するデータから構成される。また、着用させる衣服がコートである場合、重ね着データは、下着、シャツ及びジャケットに相当するデータから構成される。
【００４９】
服飾品ＤＢ２４３は、着用させる衣服の他に着用したい服飾品のデータであって、体形データや衣服データに影響を及ぼさない服飾品のデータを保持している。
（制御装置２１）
制御装置２１は、演算装置、記憶装置２１６、通信装置、情報入出力装置等を有している。演算装置は、いわゆるコンピュータであって、記憶装置２１６等に記憶された各プログラムの実行に基づいて、各種の情報処理を行う。記憶装置２１６は、演算等の結果を一時的に保持するＲＡＭや、プログラム等を保持するＲＯＭやフラッシュメモリ等より構成されている。
【００５０】
制御装置２１は、画像処理部２１１、利用者モデル作成部２１２、着用処理部３０、衣服モデル処理部２１４、寸法提供部としての型紙データ処理部２１５を備えている。
画像処理部２１１は、カメラ２２から取得した２Ｄ画像データ又は３Ｄスキャンデータを画像処理して形状データを取得する。なお、画像処理部２１１は、２Ｄ画像データを取得すると、２Ｄ画像データから背景データを除去して人のシルエットを抽出するとともに、ポーズを考慮して形状データを推定する。他方、画像処理部２１１は、３Ｄスキャンデータを取得すると、３Ｄスキャンデータに基づいて形状データを推定する。
【００５１】
画像処理部２１１は、形状データから１又は複数の寸法を取得できる。画像処理部２１１は、測定寸法の項目を絞ることで形状データから取得するときの精度向上や演算効率を高めることができる。
【００５２】
利用者モデル作成部２１２は、画像処理部２１１で取得した形状データに基づいて３Ｄアバターを作成する。３Ｄアバターは、仮想空間において利用者２が衣服を着用するときに用いられる利用者２の分身であって、選択された衣服の着用に用いられる。３Ｄアバターは、利用者２の外形モデルであるため、着用した結果が現実に近いかたちで得られるようになる。
【００５３】
利用者モデル作成部２１２は、画像処理部２１１で推定した形状データを三角形のポリゴンの集まりである３Ｄの体形データとして推定し、この３Ｄの体形データから３Ｄアバターを作成する。よって、３Ｄの体形データは、三角形のポリゴンの集まりからなり、各ポリゴンの頂点が体のどこに位置するかを制御することで姿勢を変えたときであっても各寸法を算出することができる。なお、３Ｄの体形データは、処理の都合に適したデータ形式を利用することができ、三角形のポリゴンの集まりからなるデータ形式以外で構成されてもよい。
【００５４】
また、画像処理部２１１及び利用者モデル作成部２１２は、カメラ２２から取得できる２Ｄ画像データや３Ｄスキャンデータに対して分析や学習を行ってもよい。例えば、得られた２Ｄデータから身長、性別、年齢、体重等の身体的特徴をベースにクラスター分析で複数のクラスターに分類を行うようにしておく。特に２Ｄ画像データが得られたとき、性別、年齢、身長、体重等のデータも取得し、ターゲットクラスを選定した上で該当クラスターをカバーできるようなクラスターの代表３Ｄアバターを導きその形状を３Ｄの体形データとしてもよい。
【００５５】
そして、作成された３Ｄアバターからも１又は複数の寸法を取得することができる。
衣服着用可視化システム２０は、カメラ２２から取得した２Ｄ画像データや３Ｄスキャンデータを学習データセットとして蓄積し、利用者の形状データの推定精度を向上させることもできる。
【００５６】
また、こうした画像処理部２１１及び利用者モデル作成部２１２によれば、撮影時の姿勢で取得された３Ｄアバターについて撮影時の姿勢である撮影姿勢を特定するとともに、撮影姿勢から基準とする姿勢である基準姿勢であるときの３Ｄアバターを推定する。本実施形態では、基準姿勢が所定の姿勢を構成することができる。また、利用者モデル作成部２１２は、基準姿勢から任意の姿勢である任意姿勢の３Ｄアバターを推定することができる。つまり、画像処理部２１１及び利用者モデル作成部２１２は、利用者２の任意姿勢から基準姿勢の３Ｄアバターを得るので、基準姿勢の３Ｄアバターを作成するために利用者２に撮影時の姿勢を強制したり、撮影が失敗するおそれが減り、３Ｄアバターの作成における利便性が向上する。例えば、幼児、子供、高齢者、疾病のある方等のように、採寸のために特定姿勢を維持することが容易でない利用者２にあっても、利用者２の任意姿勢に基づいて基準姿勢の３Ｄアバターを得ることができる。また、１つの姿勢から他の姿勢を推定することができるため、姿勢維持が容易でない利用者２のみならず、一般の利用者２にあっても、採寸時の姿勢の数を減らすことが可能になり、採寸による拘束時間の短縮が可能になる。基準姿勢から推定できる任意姿勢には、立つ、座る、屈む等の日常生活の姿勢を含むことができるとともに、作業に伴う姿勢やダンス等のスポーツに伴う姿勢を含むことができる。作業に伴う姿勢における３Ｄアバターは作業着の着用に適し、スポーツに伴う姿勢における３Ｄアバターはスポーツウェアの着用に適する。
【００５７】
（型紙データの変更）
型紙データ処理部２１５は、型紙ＤＢ２４１から利用者２の選択した衣服の型紙データを取得する。型紙データは、衣服の全部分の寸法を含んでいる。型紙データ処理部２１５は、利用者２の選択した型紙データに対して生地変更、デザイン変更、寸法変更等をすることができる。
【００５８】
また、型紙データ処理部２１５は、衣服モデル処理部２１４から寸法変更の指示を受けることができる。型紙データ処理部２１５は、寸法変更の指示を受けると、指示位置の寸法と隣接する部分等の関連する寸法とを、型紙データの寸法変更ルールに基づいて変更し、変更後の寸法を有する型紙データを確定する。そして、型紙データ処理部２１５は、確定した型紙データを衣服モデル処理部２１４に送る。
【００５９】
また、型紙データ処理部２１５は、確定した型紙データを利用者情報に関連付けて製造システム１６に送ることができる。又は、型紙データ処理部２１５は、当初の型紙データの寸法に対する差分寸法を有しているため、この差分寸法を利用者情報に関連付けて、当初の型紙データとともに製造システム１６に送ることができる（寸法提供ステップ）。
【００６０】
衣服モデル処理部２１４は、型紙データ処理部２１５から得た型紙データから衣服の３Ｄデータである３Ｄ衣服データを作成する。３Ｄ衣服データは、衣服に規定される各種の寸法を有している。衣服に規定される主な寸法は、例えば、着丈Ｌ１、袖丈Ｌ２（図示略）、裄丈Ｌ３（図示略）などである。また、衣服モデル処理部２１４は、３Ｄ衣服データに対応する利用者２の体形寸法として、例えば、身長Ｈ，肩幅２Ｓ、首囲２Ｎ、胸囲２Ｂ、ウエスト２Ｗ、ウエスト（腰骨上）２Ｇ、ヒップ２Ｈ、股下２Ｉ、太もも回り２Ｔ、ふくらはぎ回り２Ｃ、足首回り２Ａ、腕回り２ＡＡ、腕長さ２ＡＬを有している。
【００６１】
衣服モデル処理部２１４は、表示操作モジュール２３の操作部２３２で操作された寸法の変更の指示を受けることができる。衣服モデル処理部２１４は、表示操作モジュール２３から受けた寸法変更の指示を、型紙データを変更するために型紙データ処理部２１５に送る。
【００６２】
図７を参照して、型紙データの変更について、ズボンＣを例に説明する。
衣服モデル処理部２１４は、利用者２等の操作によって、総丈ａであるズボンＣの３Ｄ衣服データに対して、裾上げ又は裾下げが長さｘだけ行われたことを表示操作モジュール２３から受け取る。このとき、衣服モデル処理部２１４は、単に、３Ｄ衣服データの総丈ａを長さｘだけ変更して再表示させることもできるが、それでは、衣服の製造に利用される型紙データが変更されないため、表示部２３１に表示されている裾上げや裾下げされた衣服を製造することができない。
【００６３】
この点、本実施形態では、図２，図７及び図８を参照して説明すると、衣服モデル処理部２１４は、表示操作モジュール２３から受け取った３Ｄ衣服データに対する裾上げや裾下げの指示を型紙データ処理部２１５に送る。型紙データ処理部２１５は、図８に示す型紙データＫに対して、裾上げや裾下げの指示に対応する部位のサイズを変更する。具体的には、型紙Ｋ１〜Ｋ５において、裾に対応する部分を有する型紙Ｋ１〜Ｋ４の対応部分の長さを裾上げや裾下げで指示された長さｘだけ変化させる。このとき、型紙データＫは、型紙のサイズ変更ルールに従い、関連箇所のサイズも自動的に微調整される。これにより、型紙データ処理部２１５は、表示操作モジュール２３の利用者２等によって指示された衣服の寸法の変更を型紙データＫに反映させる。また、型紙データ処理部２１５は、寸法の変更が反映された型紙データＫを確定して衣服モデル処理部２１４に送る。
【００６４】
図２に示す、衣服モデル処理部２１４は、型紙データ処理部２１５から寸法の変更された型紙データＫが送られたことに応じて、寸法の変更された型紙データＫに基づいて３Ｄ衣服データを作成する。そして、この３Ｄ衣服データが着用処理部３０に送られることで、寸法の変更された衣装を３Ｄアバターに着用させた変更画像が生成されて、表示操作モジュール２３の表示部２３１に表示される。これにより、利用者２は、変更結果の反映された変更画像を確認して、更なる寸法変更や寸法の確定を行うことができる。
【００６５】
（着用処理部３０）
着用処理部３０は、利用者が選択した衣服を３Ｄアバターに着用させる処理を行う。着用処理部３０は、選択された衣服の３Ｄ衣服データと３Ｄアバターとの位置関係を調節し、３Ｄアバターに衣服を着用させた着用画像を生成するためのデータを生成する。また、着用処理部３０は、３Ｄアバターに３Ｄ衣服データに基づいて着用させた衣服に生じる張り又はたるみを再現した着用画像を生成するためのデータを作成する。後述するように、図９に示すシャツＣ１や図１０に示すズボンＣ２のように、着用させた衣服のシルエット、各部におけるラインの形状、及び、生地表面に生じる張りやシワや捩れが再現されるようにする。そして、着用処理部３０は、着用画像を表示するためのデータを表示操作モジュール２３に出力する。
【００６６】
図４に示すように、詳述すると、着用処理部３０は、姿勢特定部３１、着用データ処理部３２、着用画像提供部及び変更画像提供部としての着用画像処理部３３、着用警告部３４、圧力データ処理部３５、着圧画像処理部３６、圧力警告部３７、重ね着補正部３８、重ね着候補選択部３９、服飾品追加部４０とを有している。
【００６７】
姿勢特定部３１は、試着に必要とされる任意姿勢の３Ｄアバターを特定して、利用者モデル作成部２１２により推定された利用者２の任意姿勢の３Ｄアバターを得る。
姿勢特定部３１は、制御装置２１の演算処理能力が高ければ、利用者モデル作成部２１２に姿勢を動的に変化させた３Ｄアバターを推定させることもできる。姿勢の動的変化は、プログラムされた順序での姿勢変化でもよいし、カメラ２２等でリアルタイムに入力された動きに対応する姿勢変化であってもよい。
【００６８】
着用データ処理部３２は、衣服を着用させることが定まった３Ｄアバターに対して、選択された衣服データの位置関係を特定して、３Ｄ衣服データを３Ｄアバターに着用させられるように調整する。また、着用データ処理部３２は、３Ｄアバターと着用する３Ｄ衣服データとの間の余裕を位置毎に算出し、この算出した余裕に応じて３Ｄアバターに着用させた衣服に生じる張り、たるみ、シワ、捩れ等を再現した着用画像を生成するためのデータを作成する。なお、３Ｄ衣服データの調整は、３Ｄアバターが衣服を拘束する位置（肩、肘、腰、膝等）や、衣服が３Ｄアバターに拘束されながら受ける重力の影響も反映できる。
【００６９】
着用データ処理部３２は、例えば、図９に示す、シャツＣ１に表示されている生地表面の張りやシワ等、図１０に示すズボンＣ２に表示されている生地表面の張りやシワ等が表現可能なように３Ｄ衣服データを調整する。
【００７０】
なお、着用データ処理部３２は、３Ｄアバターと３Ｄ衣服データとの間に重ね着する衣服が必要である場合、重ね着補正部３８で３Ｄアバターに他の衣服を加えた補正モデルを得て、これに３Ｄ衣服データを着用させるように調節する。
【００７１】
また、着用データ処理部３２は、３Ｄアバターの姿勢変更、３Ｄ衣服データの変更等に応じて、３Ｄ衣服データを３Ｄアバターに着用させられるように調整する。
着用画像処理部３３は、３Ｄアバターに着用可能に着用データ処理部３２で調整された３Ｄ衣服データを３Ｄアバターに着用させた着用画像を生成するためのデータを生成する。着用画像処理部３３は、調整された３Ｄ衣服データから３Ｄアバターによる拘束を考慮して、生地の弾性率や生地の重みによる影響を視認可能な表面状態を有した着用画像や変更画像を生成するためのデータを作成し、作成したデータを表示操作モジュール２３に出力する（着用画像提供ステップ、変更画像提供ステップ）。
【００７２】
着用画像処理部３３は、例えば、図９に示すように、生地表面に張りやシワ等を認識可能なシャツＣ１の画像を生成するためのデータを作成し、図１０に示すように、生地表面に張りやシワ等を認識可能なズボンＣ２の画像を生成するためのデータを作成する。
【００７３】
なお、着用画像処理部３３は、３Ｄ衣服データが変更されることに応じて、変更された３Ｄ衣服データに基づく衣服を３Ｄアバターに着用させた画像である変更画像を表示操作モジュール２３に出力させる。これにより、利用者２の好みを、容易かつ迅速に注文する衣服に反映させることができるようになる。
【００７４】
着用警告部３４は、着用データ処理部３２が３Ｄアバターに３Ｄ衣服データに基づく衣服を着用させることができないとき、警告を出力する。衣服を着用させることができないときとは、３Ｄアバターに対して、例えば、服装の着丈Ｌ１が長すぎたり、短すぎたりして、衣服の適用可能な範囲を超えるときである。衣服の適用可能な範囲は、体形データや採寸データ毎に定められており、各体形データや採寸データを３Ｄアバターのサイズと比較することで判定することができる。また、警告に利用する種類の体形データや採寸データを予め選択しておくこともできる。着用警告部３４が警告することにより、利用者２は、着用する衣服のサイズや種類等を変更する必要があることを早い段階で認識できるようになる。
【００７５】
また、着用警告部３４は、着用データ処理部３２が３Ｄアバターに３Ｄ衣服データに衣服を着用させるとき、衣服の適用可能な範囲に対して調整量が多いとき警告を出力してもよい。調整中に調整範囲を超えるおそれも生じることから、予め警告することで、利用者２は、着用を続けるか、着用する衣服のサイズや種類等を変更するかを予め決めることができる。
【００７６】
圧力データ処理部３５は、着用データ処理部３２で調整された３Ｄ衣服データを、３Ｄアバターに着用させたとき、衣服から３Ｄアバターに与えられる着圧を衣服の部分毎に算出する。なお、圧力データ処理部３５は、３Ｄアバターと３Ｄ衣服データとの間に重ね着する衣服が必要である場合、重ね着補正部３８で得た補正モデルを用い、３Ｄ衣服データの着用によって補正モデルに与えられる着圧を算出する。あるいは、圧力データ処理部３５は、重ね着補正部３８で得た補正モデルを用い、重ね着によって３Ｄアバターに与えられる着圧を算出してもよい。３Ｄアバターと衣服との間に余裕がある場合、着圧は算出されず、余裕がないとき３Ｄアバターの表面が衣服から受ける着圧が算出される。圧力データ処理部３５は、着圧の算出において、生地の特性を考慮してもよい。例えば、圧力データ処理部３５は、伸縮性の高い生地であれば着圧を低く算出し、伸縮性の低い生地であれば着圧を高く算出してもよい。
【００７７】
図１１に示すように、着圧画像処理部３６は、圧力データ処理部３５が算出した着圧を３Ｄ衣服データに重ね合わせた着圧分布画像７を作成する。着圧分布画像７は、３Ｄアバター上に着用させた３Ｄ衣服データであるズボンＣ３にかかる着圧を示す画像である。
【００７８】
着圧画像処理部３６は、圧力範囲毎に相違する色を割り当て、着圧に対応する色を３Ｄ衣服データ上に配置することで、着圧分布を色で認識できるようにした着圧分布画像７を作成する。例えば、着圧が低い（平常）範囲から高い範囲に向かう順に、無色７０、薄い色７１、少し濃い色７２、濃い色７３で示されている。例えば、ズボンＣ３の着圧は、３Ｄアバターに対して腰回り及びふくらはぎで高く、着用するときつく感じられることが推定される。つまり、利用者２は、ズボンＣ３を着用すると、腰回り及びふくらはぎで着圧が高くなり、この箇所できつく感じられることが把握できる。利用者２は、着圧分布画像７を、衣服の微調整に利用したり、サイズ変更に利用したり、購入するか否かの判断の参考にしたりすることができる。
【００７９】
圧力警告部３７は、算出された着圧が高い又は過剰であると判定するとき、着圧が高い旨の警告を出力する。これにより、利用者２は、この衣服はきつく感じられる可能性が高いことを認識できる。なお、圧力警告部３７は、３Ｄアバターと３Ｄ衣服データとのサイズの相違が大きすぎて着圧の算出ができないとき、着圧の算出ができない旨を警告してもよい。
【００８０】
重ね着補正部３８は、着用データ処理部３２が３Ｄ衣服データを着用させるとき、３Ｄ衣服データが上着やコートである等、３Ｄアバターが他の衣服を着用している上に重ね着する衣服のデータである場合、３Ｄアバターに他の衣服を重ね着させた補正モデルを作成する。そして、重ね着補正部３８は、３Ｄアバターに対応する補正モデルを着用データ処理部３２に送る。
【００８１】
重ね着候補選択部３９は、重ね着補正部３８に送られた３Ｄ衣服データに基づいて着用する衣服に対応する属性を判定して、重ね着される他の衣服を選択するとともに、選択した衣服に対応するデータを重ね着補正部３８に送る。例えば、重ね着候補選択部３９は、Ｙシャツが着用されるとき、他の衣服として下着を選択し、ジャケットが着用されるとき、他の衣服としてＹシャツを選択し、コートが着用されるとき、他の衣服としてジャケットを選択する。また、重ね着候補選択部３９は、重ね着候補選択部３９が選択し得る他の衣服を、利用者２の嗜好などの他の要件の入力に応じて適宜変更するように構成されてもよい。
【００８２】
服飾品追加部４０は、着用画像に服飾品を追加表示させることができる。これにより、利用者２の嗜好がより一層反映された試着ができるようになる。
（衣服着用可視化の手順）
次に、衣服着用可視化システム２０を利用して、３Ｄアバターに衣服を着用させて可視化する手順について説明する。まず、利用者２をカメラ２２で撮影して２Ｄ画像データ又は３Ｄスキャンデータを得て利用者の体形をサイジングする。
【００８３】
（スマートフォンで行うサイジング）
スマートフォン等のカメラ２２で取得した２Ｄ画像データからサイジングする。利用者２にとって簡便である。
【００８４】
衣服着用可視化システム２０は、２Ｄ画像データが取得される場合、２Ｄ画像データから利用者２の体形データを取得する。このとき、２Ｄ画像データからは直線的な長さ以外の寸法を正確に得ることは難しい。そこで、直線的な長さ以外の寸法精度を高めるために、性別、年齢、身長Ｈ、体重Ｗ、着丈Ｌ１、袖丈Ｌ２、裄丈Ｌ３等を追加設定するようにしてもよい。また、図５に示す、肩幅２Ｓ、首囲２Ｎ、胸囲２Ｂ、ウエスト２Ｗ、ウエスト（腰骨上）２Ｇ、ヒップ２Ｈ、股下２Ｉ、太もも回り２Ｔ、ふくらはぎ回り２Ｃ、足首回り２Ａ、腕回り２ＡＡ、腕長さ２ＡＬ等を別途採寸して追加設定するようにしてもよい。
【００８５】
上述したように、衣服着用可視化システム２０は、２Ｄ画像データが取得されたとき、分析や学習を行ってもよい。例えば、２Ｄ画像データが得られたとき、性別、年齢、身長、体重等の身体的特徴に基づいて、ターゲットクラスを選定した上で該当クラスターをカバーできるようなクラスターの代表３Ｄの体形データを導きその形状を３Ｄの体形データとしてもよい。
【００８６】
（２Ｄカメラの全周画像によるサイジング）
カメラ２２で利用者２の全周を撮影して得た２Ｄ画像データからサイジングする。店舗等に小さい撮影スペースで設置することができる。
【００８７】
２Ｄカメラを、利用者２の全周に相対移動させることにより全周画像を撮影する。具体的には、回転台に立った利用者２を回転させて、固定された２Ｄカメラで撮影された全周画像から利用者２の体形データ及び採寸データを取得する。この場合、全周画像が取得できるため、多数のデータを取得できて推定精度が上がるが、撮影時間が長くなり利用者の負担が大きくなる。
【００８８】
（２Ｄカメラの複数方向画像によるサイジング）
カメラ２２が利用者２の複数の方向から撮影して得た２Ｄ画像データからサイジングする。店舗等に多少広い撮影スペースが必要であるが、利用者２の移動による負担が小さくなる。
【００８９】
複数台の２Ｄカメラで、利用者２の周囲の複数の方向から複数方向画像を撮影し、撮影した複数方向画像から利用者２の体形データ及び採寸データを取得することができる。この場合、特定の角度からの画像を取得するため、データが少なく推定誤差が大きくなるが、撮影時間が短くなり利用者の負担が小さくなる。
【００９０】
（３Ｄスキャナーによるサイジング）
カメラ２２が３Ｄスキャンしたスキャンデータから利用者２の体形データを高い精度で取得できる。
【００９１】
店舗等で３Ｄスキャンデータが取得されるとき、３Ｄスキャンデータから体形データ及び採寸データを取得することができる。なお、３Ｄスキャンデータからであれば、体の任意の位置のサイズをいつでも取得することができる。また、３Ｄスキャンデータの取得は、深度センサのみによって行われてもよい。
【００９２】
（衣服着用及び可視化）
利用者２は、３Ｄアバターが作成された後、図６（ａ）〜（ｄ）に示すように表示操作モジュール２３の操作を通じて、着用する衣服を選択し、着用した３Ｄアバターを確認しながら衣服の各種選択及び寸法の調整を行い、選択や寸法調整の完了後に注文を確定する。
【００９３】
まず、図６（ａ）に示すように、表示操作モジュール２３には、選択対象の衣服の画像領域６１１，６１２，６１３及び「３Ｄデザインカスタム」ボタン６１４が表示される。着用対象の衣服の選択は、選択したい衣装の画像領域６１１，６１２，６１３をタッチ操作することで行われる。「３Ｄデザインカスタム」ボタン６１４は、選択対象の衣服について、サイズ変更や事前調整、ジャンル変更等を行う他の画面に遷移するときに操作される。
【００９４】
図６（ｂ）に示すように、着用させる衣服が選択されると、表示操作モジュール２３には、着用画像領域６２０と、操作項目を表示するボタン６２１〜６２６とが表示される。着用画像領域６２０は、左右のスライド操作で、表示されている着用中の３Ｄアバターの向きを変更することができる。ボタン６２１〜６２６はそれぞれ、「生地」、「デザイン」、「ポケット」、「丈」、「袖調整」、及び「完成」の選択や調整等の実行画面への遷移に対応している。
【００９５】
表示操作モジュール２３は、「生地」、「デザイン」、「ポケット」が選択された場合、表示部２３１の下部領域６３０に選択肢の候補を表示する。ここでは、４つの選択領域６３１〜６３４が表示されている。４つの選択領域６３１〜６３４は、「選択肢Ａ」、「選択肢Ｂ」、「選択肢Ｃ」、「選択肢Ｄ」に対応している。「生地」、「デザイン」、「ポケット」等に対する選択肢は、型紙データに付属設定されており、制御装置２１は、着用画像や変更画像を生成するためのデータとともに、選択肢データを表示操作モジュール２３に送っている。例えば、「生地」が選択された場合、選択領域６３１〜６３４には、生地のブランドが選択肢として列挙される。下部領域６３０は、選択肢が多い場合、選択領域を増やすことができるとともに、スクロール表示をすることが可能になる。
【００９６】
図６（ｃ）に示すように、表示操作モジュール２３は、「袖調整」が選択された場合、表示部２３１の下部領域６５０に「袖調整中・・・」と表示する袖調整用画面を表示する。ここでは、右の「袖の長さ」、「肩幅」、左の「袖の長さ」が調整可能である。右の「袖の長さ」は、「−」ボタン６６０、「＋」ボタン６６１で変更可能であり変更量が表示域６５１に「ｃｍ」単位で表示される。「肩幅」は、「−」ボタン６６２、「＋」ボタン６６３で変更可能であり変更量が表示域６５３に「ｃｍ」単位で表示される。左の「袖の長さ」は、「−」ボタン６６４、「＋」ボタン６６５で変更可能であり変更量が表示域６５５に「ｃｍ」単位で表示される。各ボタン６６０〜６６５が操作されると、調整対象の部分が拡大着用画像６４０として拡大表示される。これにより、調整結果を確認しながら寸法の調整を行うことができる。調整可能な項目は衣服に応じて変化する。
【００９７】
このとき、本実施形態では、表示部２３１に表示されている衣服の表示のみが変化しているのではなく、上述したように、当該衣服の型紙データの寸法を変化させたことの結果として、着用画像が変更画像に変化され、表示されている衣服の寸法も変化する。よって、表示操作モジュール２３による調整が確定したとき、対応する型紙データの変更も完了していることから、当該型紙データに基づく衣服の製造が迅速に行えるようになっている。
【００９８】
図６（ｄ）に示すように、表示操作モジュール２３は、「完成」ボタン６２６が選択された場合、注文を確定させる画面に遷移する。注文を確定させる画面では、着用画像６７０が調整済みの３Ｄ衣服データに基づく衣服を着用する３Ｄアバターが表示される。着用画像６７０は、表示領域のスライド操作で３Ｄアバターの向きを変えることができる。また、生地の選択結果が結果領域６８１に、デザインの選択結果が結果領域６８２に、ポケットの選択結果が結果領域６８３に、袖の選択結果が結果領域６８４に、袖調整の結果が結果領域６８５に表示される。なお、再調整ボタン６７１を操作すると、「完成」ボタン６２６を操作する以前の画面に遷移させることができる。表示部２３１の下部領域に販売額の表示領域６７２、及び、注文を確定させる「注文確定」ボタン６７３が表示される。「注文確定」ボタン６７３の操作により注文が確定されることによって、表示操作モジュール２３による調整で変更された型紙データ又は型紙データを調整するための補正データが利用者情報とともに、制御装置２１から製造システム１６に送られて、注文された衣服が製造されるようになる。
【００９９】
以上説明したように、本実施形態によれば、以下の効果が得られるようになる。
（１）利用者２が実際に衣服を着用することなくとも、利用者２の外形が反映された外形モデルに衣服が着用された様相を、表示操作モジュール２３で確認することができるだけでなく、着用状態での衣服に対し寸法変更を行うことができる。また、変更された寸法が型紙データとして提供される。これにより、表示操作モジュール２３で確認しながら、利用者２の嗜好に適合するように寸法変更した衣服、いわゆるパターンオーダーと言える衣服を製造することのできる型紙データが可能になる。すなわち、利用者２の衣服に対する嗜好を衣服に反映可能にすることができる。
【０１００】
また、３Ｄアバターに対する衣服の着用と寸法変更とが行えるため、一部の寸法が変更された衣服を変更要請の都度実際に準備することが不要であり、さらに、手間ではあるが避けることのできない衣服の実際の着脱を行わなくてもよい。
【０１０１】
（２）利用者２の外形に準じた３Ｄアバターは、利用者の体形寸法を把握可能にする画像であって、利用者２のプライバシーに関わる内容を含む。この点、表示操作モジュール２３が利用者２の端末であることから、利用者２が自らの端末で、自身の体系的特徴を有する３Ｄアバターの着用した衣服の寸法を変更することができるため、自身の３Ｄアバターに対する衣服の着脱を自身の端末以外で操作されることがなく、また、利用者２の嗜好を衣服に反映することが容易になる。
【０１０２】
（３）利用者２の発注に基づいて型紙データが製造元に提供されるため、製造業者と型紙データを共有するための利用者２の負荷が軽減可能である。そして、表示操作モジュール２３で確認し、利用者２の嗜好に適合するように寸法変更された衣服、いわゆる注文生産と言えるような衣服が製造システム１６で製造可能になる。
【０１０３】
（４）表示操作モジュール２３で着用した衣服から３Ｄアバターが受ける着圧が確認できるようになるため、衣服を着用した際の衣服の緩み具合や締め付け具合を利用者２は把握できる。よって、衣服の寸法を、外観の情報からだけではなく、衣服を着用した際の着心地に基づいて変更できる。そして、着心地を高めるための衣服のサイズや形状の変更が衣服着脱の手間なしに行えるようになる。
【０１０４】
（５）衣服の表面に生じる張り、たるみ、シワ、捩れ等の生地の重さや弾性率等に依拠する様相を表示操作モジュール２３で確認できるため、衣服の寸法をより嗜好にあったものにすることができる。
【０１０５】
（６）利用者の体形データや採寸データが得られたときの利用者２の任意の姿勢から、着用に適用する任意の姿勢としたときの３Ｄアバターを推定する。よって、当該推定された３Ｄアバターに衣服を着用させることができるので、利用者２の体形データや採寸データを取得するための画像撮影における利用者２の姿勢変更の負担を軽減できる。
【０１０６】
また、利用者２は、画像を撮影したときの姿勢のみならず、所定の姿勢における着用態様を表示操作モジュール２３で確認できるため衣服の着用における利便性が高まる。
（７）衣服の型紙データに表示操作モジュール２３から設定された変更が反映される。また、型紙データに基づいて生成される変更画像にも表示操作モジュール２３から設定された変更が反映される。つまり、表示操作モジュール２３から設定された変更が型紙データを変更するとともに、変更画像に反映される。結果として、衣服を製造するための型紙の寸法と型紙データとの整合が担保されると共に、型紙データを型紙の寸法に変換する際に生じ得る誤差が低減される。そのため、利用者２が確認した変更画像と、利用者２が実際に衣服を着用した様相との乖離が低減される。
【０１０７】
（８）表示操作モジュール２３において衣服の一部が変位される直感的な操作により着用画像における衣服の寸法を変更することができる。
なお、本実施形態は、以下のように変更して実施することができる。本実施形態及び以下の変更例は、技術的に矛盾しない範囲で互いに組み合わせて実施することができる。
【０１０８】
・表示操作モジュール２３は、タブレットやスマートフォンではなく、小型コンピュータや、大型コンピュータ等であってもよい。ディスプレーは、タッチパネルを有していてもよいし、タッチパネルを有していなくてもよい。タッチパネルを有していない場合、表示されたユーザインターフェース画像への操作がキーボードやマウス、その他利用者が入力操作することのできる機器からの操作であってもよい。
【０１０９】
・データモジュール２４は、少なくとも型紙データベース２４１を有していれば、重ね着データベース２４２及び服飾品データベース２４３の少なくとも一つを有していなくてもよい。体形モデルが衣服を着用するときのモデルとして作成さていたり、補正されていたりすれば、着用する衣服の型紙データが型紙データベース２４１にあれば着用画像や変更画像を生成するためのデータを作成することができる。
【０１１０】
・表示操作モジュール２３における表示態様は、図６に示される態様以外であってもよい。場合について例示したが、これに限らず、表示操作モジュール２３における表示態様はその他の態様であってもよい。
【０１１１】
図１２は、表示操作モジュール２３の一態様を示す図である。表示部２３１には、着用画像又は変更画像８１０が表示されており、３Ｄアバターの着用する衣服には張り、たるみ、シワ、捩れ等が表現されている。表示部２３１には、着圧分布画像を表示するボタン８２１、着用した３Ｄアバターの見える角度を切り替えるボタン８２２が配置されている。ボタン８２１の操作で着用画像又は変更画像８１０は着圧分布画像に切り替えられ、ボタン８２２の操作で３Ｄアバターの向きが３方向、又はその他の複数の向きに切り替えられる。また、表示部２３１には、コーディネート部８３０が設けられており、コーディネートすることのできる衣服が選択可能に表示されている。例えば、トップス選択ボタン８３１とボトムス選択ボタン８３２とが表示されており、衣服の上下であるトップスＣ４とボトムスＣ５との色合わせやデザイン合わせ等のための３Ｄアバターの衣服の着せ替えが簡単に行えるようになっている。これによっても、利用者の体形が再現された３Ｄアバターに着用した上下のコーディネートや着圧の確認等を、店舗での試着体験を代替するようにして行うことができるようになる。
【０１１２】
・表示操作モジュール２３に表示される着用画像について、着用する場面や頻度、流行を反映させてもよい。例えば、着用画像における衣服の寸法は、利用者の体形寸法のみで定まることはなく、購入対象となる衣服を着用する場面、購入対象となる衣服を着用する頻度、流行に対する利用者の意識、衣服を購入する目的等に応じて区々である。これにより、衣服着用可視化システムは、利用者の衣服に対する嗜好を好適に反映させることができる。
【０１１３】
（利用者による変更のさせかたの変形例）
・「袖の長さ」や「肩幅」を「−」ボタンや「＋」ボタンで調整する場合について説明したが、これに限らず、調整することができるのであれば、ドラッグ操作や、スライダー操作、マウスのホイール操作、上下キー操作等であってもよい。衣服を少しずつ調整できるのに適したインターフェースであれば、その種類は限られない。例えば、表示操作モジュール２３において衣服の一部が変位される操作により寸法を変更することができる。
【０１１４】
（型紙データの寸法を変更する変形例）
・上記実施形態では、表示操作モジュール２３の操作によって型紙データの寸法が変更される場合について例示した。しかし、衣服製造に利用されるデータは、表示用データとは相違するデータであって、表示用データに基づいて表示される画像に対して行われる調整操作で変更されるデータであれば、型紙データには限られない。つまり、衣服製造に利用されるデータは、まず、変更操作に応じてデータが変更され、次に、このデータの変更に応じて表示用のデータを変更させて、その結果、表示される画像が更新されるように構成することのできるデータであればよい。
【０１１５】
・衣服モデル処理部２１４は、表示操作モジュール２３から受け取った３Ｄ衣服データに対する変更の指示と３Ｄ衣服データとを用いて、寸法の変更された３Ｄ衣服データを作成してもよい。そして、この３Ｄ衣服データが着用処理部３０に送られることで、寸法の変更された衣装を３Ｄアバターに着用させた変更画像が生成されて、表示操作モジュール２３の表示部２３１に表示されてもよい。すなわち、衣服モデル処理部２１４は、３Ｄ衣服データを変更する機能と、変更の指示内容を保持する機能と、を備えて、型紙データ処理部２１５に型紙データＫを変更させずに、変更画像を生成するためのデータを着用処理部３０に作成させて、変更の指示内容を製造データとして提供する構成であってもよい。
【０１１６】
（任意の姿勢の利用者外形情報から所定の姿勢を推測する変形例）
・姿勢特定部３１がカメラ２２等でリアルタイムに入力された動きに対応する姿勢変化を推定可能であるとき、着用処理部３０は、リアルタイムに推定された姿勢の３Ｄアバターに、推定された姿勢に対応させた衣服を着用させる処理を行って、着用画像や変更画像を生成するためのデータを作成してもよい。そして、表示操作モジュール２３でリアルタイムの姿勢変化に対応する着用画像や変更画像を確認することができるようにしてもよい。
【０１１７】
・また、着用処理部３０は、リアルタイムに推定された姿勢の３Ｄアバターに、推定された姿勢に対応させた衣服を着用させたときの着圧分布画像を作成してもよい。そして、表示操作モジュール２３でリアルタイムの姿勢変化に対応する着圧分布画像を確認することができるようにしてもよい。
【０１１８】
（たるみの表示の変形例）
・上記実施形態では、着用画像処理部３３は、着用画像や変更画像のなかの衣服が、重力や張力を受けながら外形モデルから受ける拘束力によって生じる表面状態を表示操作モジュール２３に提供する場合について説明した。しかし、これに限らず、着用画像処理部３３は、生地の張り、たるみ、シワ、捩れの一部や全部を認識できない着用画像や変更画像を生成するためのデータを作成したり、重力の影響を小さく、又は全く考慮しない着用画像や変更画像を生成するためのデータを作成してもよい。これにより、着用画像処理部３３による画像処理負荷を低減させてリアルタイム性を高めることができたり、処理能力の低い利用者端末等での処理を可能にしたりすることができる。
【０１１９】
（着圧分布の表示の変形例）
・着圧分布の表示は色の違い以外で表現してもよい。例えば、張力の強いところはメッシュが拡がるような表現でもよいし、張力の強いところは色が薄くなるように濃淡による表現でもよい。また、身体に身につけた張力発生装置により擬似的な圧力が加えられるようにしてもよい。
【０１２０】
（発注の変形例）
・利用者は寸法を変更した型紙データに基づいて衣服を発注しなくてもよい。例えば、型紙データを取得や購入したり、一時的に保管させていたりしてもよい。
【０１２１】
・利用者は購入が目的ではなく、着用のみが目的であってもよい。モデル等が着用している衣服を自身の外形モデルに着用させることを試してみたりすることが目的であってもよい。例えば、利用者の嗜好に沿った衣服の着用はもちろん、購入できない衣服や、年代や季節、地域、行事等で相違する衣服等の着用を疑似体験するようにしてもよい。
【０１２２】
（利用者端末の変形例）
・着用画像、変更画像、及び、着圧分布は、利用者端末以外の端末に表示されてもよい。例えば、パソコンの画面等に表示させてもよい。これにより、家族や、友人、店員等とともに着用可視化画像を見ることができる。
【０１２３】
また、利用者端末以外の端末に表示された着用可視化画像から衣服を調整することができてもよい。調整等が苦手な利用者であったとしても、主体的にかかわる利用者本人の嗜好に基づいて、家族や店員等が利用者のために衣服を調整することができてもよい。
【０１２４】
・着用画像、変更画像、及び、着圧分布は、家族や、友人、店員等が着用可視化画像を見ながら衣服を調整するようにしてもよい。利用者以外の操作によっても、利用者に適した調整した衣服データを作成することができ、利用者の利便性が高まる。
【０１２５】
（可視化された着用衣服のサイズの利用者による変更の変形例）
・利用者の体形モデルは、レーザ光、又は、可視光線以外の光、Ｘ線、音波等で計測してもよい。よって、カメラ２２は、２Ｄ画像データを取得するシステムでもよいし、３Ｄボディスキャンシステムであってもよい。２Ｄ画像データを取得するシステムは、例えば、ＣＣＤカメラやＣＭＯＳカメラである。３Ｄボディスキャンシステムは、例えば、インテル社のＲｅａｌＳｅｎｓｅシリーズである。
【０１２６】
・利用者の体形モデルは、利用者が測定個所の肌を露出させた状態、体に密着した衣服をつけている状態、衣服を着ている状態等で測定してもよい。
利用者が測定個所の肌を露出させた状態で測定された体形モデルは、利用者の体形状を示すデータとして利用できる。着用可視化の対象となる衣服の下に他の衣服を重ねときには、他の衣服のデータを重ねることで体形を補正することができる。
【０１２７】
体に密着した測定用衣服をつけている状態で測定された体形モデルは、測定用衣服に付された線、ドット、図柄、模様などのマークを体形データの測定に利用することができる。
【０１２８】
衣服を着ている状態で測定された体形モデルは、その衣服の上に着用する衣服の着用可視化に利用することができる。逆に、着ている衣服を取り除くようなデータ補正を行うことで、体形データを作成することができる。このとき、着ている衣服を推定したり、利用者が入力したりすることでデータ補正の精度を高めることができるようになる。
【０１２９】
・上記実施形態では、表示操作モジュール２３と制御装置２１とが別に設けられる場合について説明した。しかしこれに限らず、制御装置の一部又は全部の機能が表示操作モジュールに含まれていてもよい。表示操作モジュールに、着用処理部、型紙データ処理部、及び衣服モデル処理部が含まれていれば、着用画像の確認、画面での寸法調整、型紙データの変更、３Ｄ衣服データの変更、変更画像の生成を利用者端末で行えるようになり、着用が容易に行えるようにもなる。
【符号の説明】
【０１３０】
７…着圧分布画像、１０…ネットワーク、１１…ＰＯＳデータサーバ、１２…ＥＣ購買データサーバ、１３…販売管理システム、１４…商品データサーバ、１５…利用者データサーバ、１６…製造システム、２０…衣服着用可視化システム、２１…制御装置、２２…カメラ、２３…表示操作モジュール、２４…データモジュール、３０…着用処理部、３１…姿勢特定部、３２…着用データ処理部、３３…着用画像処理部、３４…着用警告部、３５…圧力データ処理部、３６…着圧画像処理部、３７…圧力警告部、３８…重ね着補正部、３９…重ね着候補選択部、４０…服飾品追加部、２１１…画像処理部、２１２…利用者モデル作成部、２１４…衣服モデル処理部、２１５…型紙データ処理部、２１６…記憶装置、２３１…表示部、２３２…操作部、２４１…型紙データベース（型紙ＤＢ）、２４２…重ね着データベース（重ね着ＤＢ）、２４３…服飾品データベース（服飾品ＤＢ）、６１１〜６１３…画像領域、６２０…着用画像領域、６１４，６２１〜６２６…ボタン、６３０…下部領域、６３１〜６３４…選択領域、６４０…拡大着用画像、６５０…下部領域、６５１，６５３，６５５…表示域、６６０〜６６５…ボタン、６７０…着用画像、６７１…再調整ボタン、６７２…表示領域、６７３…ボタン、６８１〜６８５…結果領域、８１０…変更画像、８２１，８２２…ボタン、８３０…コーディネート部、８３１…トップス選択ボタン、８３２…ボトムス選択ボタン、Ｃ１…シャツ、Ｃ，Ｃ２，Ｃ３…ズボン、Ｃ４…トップス、Ｃ５…ボトムス。
【図１】
2020170394.tif 000003
【図２】
2020170394.tif 000004
【図３】
2020170394.tif 000005
【図４】
2020170394.tif 000006
【図５】
2020170394.tif 000007
【図６】
2020170394.tif 000008
【図７】
2020170394.tif 000009
【図８】
2020170394.tif 000010
【図９】
2020170394.tif 000011
【図１０】
2020170394.tif 000012
【図１１】
2020170394.tif 000013
【図１２】
2020170394.tif 000014